(57)【要約】【課題】フェードイン中であっても調光器による軽快な調光操作を行うことが可能な点灯装置を提供する。【解決手段】取得した調光信号のデューティの大小に応じて、光源に供給する電流を小大又は大小に調整する調光部と、該調光部が調整を開始する前に取得した調光信号のデューティを記憶する記憶部と、該記憶部に記憶されたデューティに応じて前記調光部が調整すべき目標の電流に向けて、前記光源に供給する電流を漸増させる漸増部と、該漸増部が電流を漸増させている間に新たに取得した調光信号のデューティが前記記憶部に記憶されたデューティと所定の値以上異なる場合、前記漸増部の動作を禁止する禁止部と、該禁止部が動作を禁止した場合、前記新たに取得した調光信号のデューティに応じて前記調光部が調整すべき新たな目標の電流に向けて、前記光源に供給する電流を漸近させる漸近部とを備える。【選択図】図１
2018206701.tif 000002
【特許請求の範囲】
【請求項１】
光源の光量を調整する度合いを示す調光信号を外部から時系列的に取得し、取得した調光信号に基づく電流を前記光源に供給して点灯させる点灯装置において、
前記調光信号は、ＰＷＭ信号であり、
取得した調光信号のデューティが第１閾値より大きく、且つ該第１閾値より大きい第２閾値より小さい場合、前記デューティの大小に応じて、前記光源に供給する電流を小大（又は大小）に調整する調光部と、
該調光部が調整を開始する前に取得した調光信号のデューティが前記第２閾値より小さい（又は前記第１閾値より大きい）場合、取得した調光信号のデューティを記憶する記憶部と、
該記憶部に記憶されたデューティに応じて前記調光部が調整すべき目標の電流に向けて、前記光源に供給する電流を漸増させる漸増部と、
該漸増部が電流を漸増させている間に新たに取得した調光信号のデューティが前記記憶部に記憶されたデューティと所定の値以上異なる場合、前記漸増部の動作を禁止する禁止部と、
該禁止部が動作を禁止した場合、前記新たに取得した調光信号のデューティに応じて前記調光部が調整すべき新たな目標の電流に向けて、前記光源に供給する電流を漸近させる漸近部と
を備えることを特徴とする点灯装置。
【請求項２】
前記調光部が電流を調整する都度、取得した調光信号のデューティが前記第２閾値より大きい（又は前記第１閾値より小さい）第３閾値以上（又は以下）である場合、前記調光部の動作を禁止して前記光源に供給する電流を漸減させる漸減部と、
該漸減部が電流を漸減させている間に更に新たに取得した調光信号のデューティが前記第２閾値より小さい（又は前記第１閾値より大きい）場合、前記漸減部の動作を禁止する第２の禁止部と
を備え、
前記漸近部は、前記第２の禁止部が動作を禁止した場合、前記更に新たに取得した調光信号のデューティに応じて前記調光部が調整すべき新たな目標の電流に向けて、前記光源に供給する電流を漸近させるようにしてある
ことを特徴とする請求項１に記載の点灯装置。
【請求項３】
前記漸近部は、前記光源に供給する電流の時間変化率の絶対値を漸次減少させるようにしてあることを特徴とする請求項１又は２に記載の点灯装置。
【請求項４】
前記漸近部は、
前記光源に供給する電流を所定時間毎に変化させるようにしてあり、
前記新たな目標の電流と前記光源に供給する電流との差分の大小に応じて、前記所定時間毎に変化させる電流の変化量を大小に調整するようにしてある
ことを特徴とする請求項３に記載の点灯装置。
【請求項５】
調光信号のデューティと、該デューティに応じて前記調光部が調整する電流の大きさとを対応付けて記憶するテーブルを更に備え、
前記漸近部は、前記新たに取得した調光信号のデューティに対応付けて前記テーブルに記憶されている電流の大きさを、前記新たな目標の電流とする
ことを特徴とする請求項１から４の何れか１項に記載の点灯装置。
【発明の詳細な説明】
【技術分野】
【０００１】
本発明は、調光器からの信号に基づいて光源を点灯させる点灯装置に関する。
【背景技術】
【０００２】
近年、ＬＥＤ（Light Emitting Diode ）を光源とする照明器具が、住宅用、事業所用、道路用、産業用等の用途に広く使用されている。照明器具の光源は、例えば商用の交流電圧を直流電圧に変換する点灯装置から直流電圧が印加されて駆動される。
【０００３】
従来、光源の光出力の大きさを変化させるための調光器が提供されている。調光器は、例えば調光つまみの操作に応じた情報を示す調光信号を出力し、この調光信号を入力する点灯装置が、調光信号によって示される情報に応じて光源の光出力の大きさを変化させる。
【０００４】
例えば特許文献１には、コントローラ（調光器）に接続されており、ＰＷＭ信号からなる調光信号が入力されて光源ユニットの調光を実行する点灯装置が開示されている。この点灯装置は、連続調光モードにてＰＷＭ信号のデューティが５％から９０％まで変化する間に、光源ユニットの光出力が１００％から２０％まで直線的に変化するようになっている。
【０００５】
また、特許文献２には、調光器からの調光信号によって示される明るさにすべく発光器の駆動電流を徐々に増加させるフェードインや、発光器の駆動電流を徐々に減少させて消灯させるフェードアウトが可能な照明用電源回路が記載されている。
【先行技術文献】
【特許文献】
【０００６】
【特許文献１】特開２０１５−３２４５１号公報
【特許文献２】特開２００７−２３４４１５号公報
【発明の概要】
【発明が解決しようとする課題】
【０００７】
しかしながら、特許文献２には、フェードイン又はフェードアウト中に調光信号によって示される明るさが変化した場合の処理について何も記載されていない。実際フェードイン又はフェードアウト中に調光器のつまみが操作された場合は、つまみに対する操作とは無関係にフェードイン又はフェードアウトが継続するため、使用者には調光器による調光の反応が遅いように感じられるという問題があった。
【０００８】
本発明は斯かる事情に鑑みてなされたものであり、その目的とするところは、フェードイン中であっても調光器による軽快な調光操作を行うことが可能な点灯装置を提供することにある。
【課題を解決するための手段】
【０００９】
本発明の一態様に係る点灯装置は、光源の光量を調整する度合いを示す調光信号を外部から時系列的に取得し、取得した調光信号に基づく電流を前記光源に供給して点灯させる点灯装置において、前記調光信号は、ＰＷＭ信号であり、取得した調光信号のデューティが第１閾値より大きく、且つ該第１閾値より大きい第２閾値より小さい場合、前記デューティの大小に応じて、前記光源に供給する電流を小大（又は大小）に調整する調光部と、該調光部が調整を開始する前に取得した調光信号のデューティが前記第２閾値より小さい（又は前記第１閾値より大きい）場合、取得した調光信号のデューティを記憶する記憶部と、該記憶部に記憶されたデューティに応じて前記調光部が調整すべき目標の電流に向けて、前記光源に供給する電流を漸増させる漸増部と、該漸増部が電流を漸増させている間に新たに取得した調光信号のデューティが前記記憶部に記憶されたデューティと所定の値以上異なる場合、前記漸増部の動作を禁止する禁止部と、該禁止部が動作を禁止した場合、前記新たに取得した調光信号のデューティに応じて前記調光部が調整すべき新たな目標の電流に向けて、前記光源に供給する電流を漸近させる漸近部とを備えることを特徴とする。
【００１０】
なお、本願は、このような特徴的な処理部を備える点灯装置として実現することができるだけでなく、かかる特徴的な処理をステップとする点灯方法として実現したり、かかるステップをコンピュータに実行させるためのプログラムとして実現したりすることができる。また、点灯装置の一部又は全部を半導体集積回路として実現したり、点灯装置を含むシステムとして実現したりすることができる。
【発明の効果】
【００１１】
上記によれば、フェードイン中であっても調光器による軽快な調光操作を行うことが可能となる。
【図面の簡単な説明】
【００１２】
【図１】本発明の実施形態に係る点灯装置を含む点灯システムの構成例を示すブロック図である。
【図２】調光器からの調光信号及び積分回路に対する信号の一例を示すタイミングチャートである。
【図３】調光信号のデューティとＩｍａｘに対するＩｔｇｔの割合との関係を示すグラフである。
【図４】調光信号のデューティを変換するための調光テーブルの構成例を示す説明図である。
【図５】フェードイン中及びフェードアウト中に光源に供給される電流の時間変化を示すグラフである。
【図６】増減させる電流の割合を記憶したＦＩＦＯテーブルの構成例を示す説明図である。
【図７】フェードインを中断した場合に光源に供給される電流の時間変化を示すグラフである。
【図８】フェードイン／フェードアウト中断後に光源に供給される電流の変化曲線の一例を示すグラフである。
【図９】ＣＰＵによる初期化処理の手順を示すフローチャートである。
【図１０】フェードイン、調光、及びフェードアウトを実行するＣＰＵの処理手順を示すフローチャートである。
【図１１】フェードイン及びフェードアウト中のＣＰＵによる定周期処理の手順を示すフローチャートである。
【図１２】フェードイン及びフェードアウトの中断後のＣＰＵの処理手順を示すフローチャートである。
【発明を実施するための形態】
【００１３】
［本発明の実施形態の説明］
最初に本発明の実施態様を列記して説明する。また、以下に記載する実施形態の少なくとも一部を任意に組み合わせてもよい。
【００１４】
（１）本発明の一態様に係る点灯装置は、光源の光量を調整する度合いを示す調光信号を外部から時系列的に取得し、取得した調光信号に基づく電流を前記光源に供給して点灯させる点灯装置において、前記調光信号は、ＰＷＭ信号であり、取得した調光信号のデューティが第１閾値より大きく、且つ該第１閾値より大きい第２閾値より小さい場合、前記デューティの大小に応じて、前記光源に供給する電流を小大（又は大小）に調整する調光部と、該調光部が調整を開始する前に取得した調光信号のデューティが前記第２閾値より小さい（又は前記第１閾値より大きい）場合、取得した調光信号のデューティを記憶する記憶部と、該記憶部に記憶されたデューティに応じて前記調光部が調整すべき目標の電流に向けて、前記光源に供給する電流を漸増させる漸増部と、該漸増部が電流を漸増させている間に新たに取得した調光信号のデューティが前記記憶部に記憶されたデューティと所定の値以上異なる場合、前記漸増部の動作を禁止する禁止部と、該禁止部が動作を禁止した場合、前記新たに取得した調光信号のデューティに応じて前記調光部が調整すべき新たな目標の電流に向けて、前記光源に供給する電流を漸近させる漸近部とを備えることを特徴とする。
【００１５】
本態様にあっては、ＰＷＭ信号である調光信号を外部から取得し、取得した調光信号に基づく電流を光源に供給して点灯させる。外部からの調光信号のデューティが第１閾値から第２閾値までの範囲内にある場合、調光信号のデューティの大小の変化（即ち増加及び減少）に応じて、光源に供給する電流を小大に調整する（即ち減少及び増加させる）第１構成、又は光源に供給する電流を大小に調整する（即ち増加及び減少させる）第２構成を採用する。第１構成では調光を開始する前に取得した調光信号のデューティが第２閾値より小さいか否かを判定し、第２構成では調光を開始する前に取得した調光信号のデューティが第１閾値より大きいか否かを判定する。判定が成立した場合、判定したデューティを記憶しておき、当該デューティに応じた目標の電流に向けて光源に供給する電流を漸増させる。電流を漸増させている間に新たに取得した調光信号のデューティが、記憶されたデューティと所定の値以上異なる場合、光源に供給する電流の漸増を中止し、新たに取得した調光信号のデューティに応じた新たな目標の電流に向けて、光源に供給する電流を漸近させる。
【００１６】
（２）前記調光部が電流を調整する都度、取得した調光信号のデューティが前記第２閾値より大きい（又は前記第１閾値より小さい）第３閾値以上（又は以下）である場合、前記調光部の動作を禁止して前記光源に供給する電流を漸減させる漸減部と、該漸減部が電流を漸減させている間に更に新たに取得した調光信号のデューティが前記第２閾値より小さい（又は前記第１閾値より大きい）場合、前記漸減部の動作を禁止する第２の禁止部とを備え、前記漸近部は、前記第２の禁止部が動作を禁止した場合、前記更に新たに取得した調光信号のデューティに応じて前記調光部が調整すべき新たな目標の電流に向けて、前記光源に供給する電流を漸近させるようにしてあることが好ましい。
【００１７】
本態様にあっては、外部から取得した調光信号のデューティに応じて光源に供給する電流を調整する都度、第１構成では取得した調光信号のデューティが第２閾値より大きい第３閾値以上であるか否かを判定し、第２構成では取得した調光信号のデューティが第１閾値より小さい第３閾値以下であるか否かを判定する。判定が成立した場合、判定したデューティに応じた目標の電流に向けて光源に供給する電流を漸減させる。電流を漸減させている間に更に新たに取得した調光信号のデューティが、第１構成における第２閾値より小さい場合、又は第２構成における第１閾値より大きい場合、光源に供給する電流の漸減を中止し、電流を漸減させている間に新たに取得した調光信号のデューティに応じた新たな目標の電流に向けて、光源に供給する電流を漸近させる。
【００１８】
（３）前記漸近部は、前記光源に供給する電流の時間変化率の絶対値を漸次減少させるようにしてあることが好ましい。
【００１９】
本態様にあっては、新たな目標の電流に向けて漸近するように光源に供給する電流について、単位時間当たりの変化量の絶対値、即ち電流変化の傾きの絶対値が漸次小さくなるようにする。
【００２０】
（４）前記漸近部は、前記光源に供給する電流を所定時間毎に変化させるようにしてあり、前記新たな目標の電流と前記光源に供給する電流との差分の大小に応じて、前記所定時間毎に変化させる電流の変化量を大小に調整するようにしてあることが好ましい。
【００２１】
本態様にあっては、光源に供給する電流を所定時間毎に変化させて新たな目標の電流に向けて漸近させる際に、新たな目標の電流と光源に供給している電流との差分が大きいほど、所定時間毎の電流の変化量を大きくする。
【００２２】
（５）調光信号のデューティと、該デューティに応じて前記調光部が調整する電流の大きさとを対応付けて記憶するテーブルを更に備え、前記漸近部は、前記新たに取得した調光信号のデューティに対応付けて前記テーブルに記憶されている電流の大きさを、前記新たな目標の電流とすることが好ましい。
【００２３】
本態様にあっては、調光信号のデューティに対応付けて、光源に供給する電流の大きさをテーブルに記憶してあり、新たに取得した調光信号のデューティに基づいてテーブルを参照することにより、新たな目標の電流を決定する。
【００２４】
［本発明の実施形態の詳細］
本発明の実施形態に係る点灯装置の具体例を、以下に図面を参照しつつ説明する。なお、本発明はこれらの例示に限定されるものではなく、特許請求の範囲によって示され、特許請求の範囲と均等の意味および範囲内でのすべての変更が含まれることが意図される。また、各実施形態で記載されている技術的特徴は、お互いに組み合わせることが可能である。
【００２５】
（実施形態）
図１は、本発明の実施形態に係る点灯装置を含む点灯システムの構成例を示すブロック図である。図中１は点灯装置であり、点灯装置１は、調光器３から調光信号を時系列的に取得し、取得した調光信号に基づく電流を光源４に供給して点灯させる。調光器３は、使用者が不図示のつまみを回転させることにより、回転角に応じて、光源４の光量を調整する度合いを示す調光信号を点灯装置１に出力する。光源４は、例えばＬＥＤを含み、供給される電流の増減に応じて光量が増減する。
【００２６】
点灯装置１は、調光器３からの調光信号をフォトカプラ１１を介して取得し、取得した調光信号のデューティ比（以下、単にデューティという）を検出して後段にＰＷＭ信号を出力するマイクロコンピュータ（以下マイコンという）１０を備える。なお、フォトカプラ１１は、ＰＷＭ信号を伝達するための他の回路素子又は他の回路であってもよい（以下同様）。
【００２７】
マイコン１０は、ＣＰＵ（Central Processing Unit ）１００を含んで構成されている。ＣＰＵ１００は、制御プログラム等の情報を記憶するＲＯＭ（Read Only Memory ）１１０、一時的に発生した情報を記憶するＲＡＭ（Random Access Memory ）１２０、調光信号を取得してＰＷＭ信号を出力するための入出力インタフェース（Ｉ／Ｏ）１３０、及び経過時間等を計時するタイマ１４０と互いにバス接続されている。ＲＯＭ１１０には、後述する調光テーブル１１１（テーブルに相当）及びＦＩＦＯテーブル１１２が記憶されている。ＲＡＭ１２０には、後述する記憶部１２１としての記憶領域が確保されている。
【００２８】
点灯装置１は、また、マイコン１０が出力したＰＷＭ信号を積分する積分回路１２と、該積分回路１２の出力電圧が入力される演算増幅器（以下、オペアンプという）１３とを備える。オペアンプ１３は、積分回路１２の出力電圧と、後述する抵抗器１７の検出電圧との差分を増幅する。なお、マイコン１０と積分回路１２との間に他のフォトカプラを介在させて絶縁するようにしてもよい。
【００２９】
点灯装置１は、更に、オペアンプ１３が増幅した誤差電圧をフォトカプラ１４を介して入力するコンバータ用の制御ＩＣ１５と、該制御ＩＣ１５によって電圧の変換が制御されるＤＣ／ＤＣコンバータ１６と、交流電源５の交流電圧を直流電圧に変換してＤＣ／ＤＣコンバータ１６に印加するＰＦＣ（Power Factor Controller ）回路２０とを備える。
【００３０】
ＤＣ／ＤＣコンバータ１６は、ＰＦＣ回路２０から印加された直流電圧を降圧し、降圧した直流電圧を抵抗器１７を介して光源４に印加することにより、光源４に直流電流を供給する。光源４に供給される電流は抵抗器１７にて検出され、これによる検出電圧がオペアンプ１３に入力されるようになっている。なお、抵抗器１７とＤＣ／ＤＣコンバータ１６との接続点が、例えば接地電位である基準電位に接続されている。
【００３１】
上述の構成により、抵抗器１７に流れる電流が、積分回路１２の出力電圧に比例するように制御される。積分回路１２の出力電圧は、マイコン１０が出力するＰＷＭ信号のデューティに比例するから、光源４に供給される電流は、マイコン１０が積分回路１２に対して出力するＰＷＭ信号のデューティに比例するように制御される。
【００３２】
次に、マイコン１０が入出力するＰＷＭ信号について説明する。図２は、調光器３からの調光信号及び積分回路１２に対する信号の一例を示すタイミングチャートである。図の上段に調光信号を示し、下段に積分回路１２に対する信号を示す。図２では、横軸が時間（ｔ）を表し、縦軸が信号のオン／オフ状態を表す。調光信号は、周期がＴ１（例えば１ｍｓ）のＰＷＭ信号である。積分回路１２に対する信号は、周期がＴ２のＰＷＭ信号である。図２に示す例では、調光信号のデューティが０．３である。
【００３３】
調光信号は、光源４の光量を調整する度合いをデューティによって示す信号である。調光器３は、調光信号のデューティの仕様として５％から９０％までをカバーするものが多いため、本実施形態では、５％（第１閾値に相当）から９０％（第２閾値に相当）までの変化範囲内で調光信号のデューティの大小に応じて、光源４に供給する電流を小大に調整する。即ち、調光信号のデューティの増加及び減少（以下増／減ともいう）に応じて、光源４に供給する電流を減少及び増加（以下、減／増ともいう）させる。具体的には、調光信号のデューティをＤ１とし、光源４に供給する電流の最大値（定数）をＩｍａｘとし、光源４に供給する電流（変数）をＩｔｇｔとした場合、Ｉｔｇｔは、以下の式（１）によって表される。
【００３４】
Ｉｔｇｔ＝Ｉｍａｘ（１−Ｄ１’）・・・・・・・・・・・・・・・・・・・・・（１）
但し、
Ｄ１’＝（Ｄ１−０．０５）×０．９５／０．８５・・・・・・・・・・・・・・（２）
（０．０５≦Ｄ１≦０．９）
【００３５】
式（１）で用いるＤ１’を式（２）によってＤ１から変換して求めているのは、調光信号のデューティＤ１に係る５％から９０％までの変化範囲を、Ｄ１’に係る０％から９５％までの変化範囲に均等にマッピングするためである。上述したように、光源４に供給される電流は、マイコン１０が積分回路１２に対して出力するＰＷＭ信号のデューティに比例する。ここで、マイコン１０が出力するＰＷＭ信号のデューティが１及び０夫々の場合に、光源４に供給される電流がＩｍａｘ及び０となるようにすることができる。この場合、光源４に式（１）で表される電流を供給するには、マイコン１０が検出した調光信号のデューティＤ１を式（２）に代入してＤ１’を算出し、然る後にデューティが（１−Ｄ１’）であるＰＷＭ信号を積分回路１２に対して出力すればよい。
【００３６】
具体的には、マイコン１０が、図２の上段に示すデューティが０．３の調光信号を取得した場合、光源４に式（１）で表される電流を供給するには、積分回路１２に対して、図２の下段に示すデューティが０．７２のＰＷＭ信号を出力すればよい。出力されるＰＷＭ信号の周期は任意の長さでよいが、本実施形態では周期をＴ２とする。このように、マイコン１０は、調光信号のデューティＤ１を検出して式（２）に適用し、算出されたＤ１’を式（１）に適用することにより、積分回路１２に対して出力すべきＰＷＭ信号のデューティを、Ｉｍａｘの係数として算出することができる。
【００３７】
以上の例では、調光信号のデューティの大小に応じて、光源４に供給する電流を小大に調整したが、これとは逆に、調光信号のデューティの大小に応じて、光源４に供給する電流を大小に調整してもよい。この場合のＩｔｇｔ及びＤ１’夫々は、以下の式（３）及び（４）によって表される。式（３）で用いるＤ１’を式（４）によってＤ１から変換して求めているのは、調光信号のデューティＤ１に係る５％から９０％までの変化範囲を、Ｄ１’に係る５％から１００％までの変化範囲に均等にマッピングするためである。
【００３８】
Ｉｔｇｔ＝Ｉｍａｘ×Ｄ１’・・・・・・・・・・・・・・・・・・・・・・・・（３）
但し、
Ｄ１’＝（Ｄ１−０．０５）×０．９５／０．８５＋０．０５・・・・・・・・・（４）
（０．０５≦Ｄ１≦０．９）
【００３９】
なお、光源４に供給する電流は、式（１），（２）又は式（３），（４）で示されるように、調光信号のデューティＤ１に対して直線的に変化するものに限定されず、デューティＤ１に対して曲線的に滑らかに変化するものであってもよい。
【００４０】
図３は、調光信号のデューティとＩｍａｘに対するＩｔｇｔの割合との関係を示すグラフである。図の横軸は調光信号のデューティ（％）を表し、縦軸はＩｔｇｔ／Ｉｍａｘ（％）を表す。図中の実線は、調光信号のデューティの大小に応じて光源４に供給する電流を小大に調整する場合の特性を示すものであり、破線は、調光信号のデューティの大小に応じて光源４に供給する電流を大小に調整する場合の特性を示すものである。
【００４１】
図３の実線で示される特性の場合、式（１）よりＩｔｇｔ／Ｉｍａｘは１−Ｄ１’であり、Ｄ１’は式（２）で表されるから、調光信号のデューティＤ１が５％から９０％までの範囲内にあるときは、Ｉｔｇｔ／Ｉｍａｘは傾きが−０．９５／０．８５の直線上の点として表される。調光信号のデューティＤ１が５％より小さいときのＤ１’の値は、デューティが５％のときに式（２）によって算出される値と同じく０に固定する。この場合、式（１）よりＩｔｇｔ＝Ｉｍａｘとなる。また、調光信号のデューティＤ１が９０％と９７％との間にあるときのＤ１’の値は、デューティが９０％のときに式（２）によって算出される値と同じく０．９５に固定する。このときは、式（１）よりＩｔｇｔ＝０．０５Ｉｍａｘとなる。
【００４２】
例えば、マイコン１０が最初に取り込んだ調光信号のデューティが５％から９０％までの範囲内にある場合、マイコン１０は、積分回路１２に対して出力するＰＷＭ信号のデューティを、式（１）の右辺におけるＩｍａｘの係数として算出できる。このデューティが目標の電流の大きさに対応する。これにより、光源４に供給される電流はＩｍａｘから０．０５Ｉｍａｘまでの範囲内の目標の電流に設定される。本実施形態では、光源４に供給する電流を、算出された目標の電流に向けて一定の時間内（例えば３秒間）に一定の増加率で漸増させる。以下、このような制御をフェードイン（ＦＩ：Fade-In ）という。
【００４３】
その後、調光信号のデューティが０％から５％までの範囲内で増／減する間、マイコン１０は、積分回路１２に対して出力するＰＷＭ信号のデューティを１００％に調整する。これにより、光源４に供給される電流はＩｍａｘに調整される。また、調光信号のデューティが９０％から９７％までの範囲内で増／減する間、マイコン１０は、積分回路１２に対して出力するＰＷＭ信号のデューティを５％に調整する。これにより、光源４に供給される電流は０．０５Ｉｍａｘに調整される。なお、ここでの９７％は、９０％（第２閾値）より大きく１００％より小さいデューティであればよい。
【００４４】
更にその後、調光信号のデューティが９７％（第３閾値に相当）より大きくなったときに、マイコン１０は、積分回路１２に対して出力するＰＷＭ信号のデューティを５％から０％に向けて漸減させる（図中の矢印付き実線参照）。これにより、光源４が突然消灯することがないように制御される。なお、図３では、便宜上、調光信号のデューティが９７％より大きくなるにつれて実線が右下がりに低下するように描いてあるが、実際にはマイコン１０は、積分回路１２に対して出力するＰＷＭ信号のデューティを５％から０％に向けて一定の時間内（例えば３秒間）に一定の減少率で漸減させる。以下、このような制御をフェードアウト（ＦＯ：Fade-Out ）という。
【００４５】
一方、図３の破線で示される特性の場合、式（３）よりＩｔｇｔ／ＩｍａｘはＤ１’であり、Ｄ１’は式（４）で表されるから、調光信号のデューティＤ１が５％から９０％までの範囲内にあるときは、Ｉｔｇｔ／Ｉｍａｘは図３に示される傾きが０．９５／０．８５の直線上の点として表される。調光信号のデューティＤ１が３％から５％までの範囲内にあるときのＤ１’の値は、デューティが５％のときに式（２）によって算出される値と同じく０．０５に固定する。このときは、Ｉｔｇｔ＝０．０５Ｉｍａｘとなる。また、調光信号のデューティＤ１が９０％と１００％との間にあるときのＤ１’の値は、デューティが９０％のときに式（４）によって算出される値と同じく１に固定する。この場合、式（３）よりＩｔｇｔ＝Ｉｍａｘとなる。
【００４６】
例えば、マイコン１０が最初に取り込んだ調光信号のデューティが５％から９０％までの範囲内にある場合、マイコン１０は、積分回路１２に対して出力するＰＷＭ信号のデューティを、式（３）の右辺におけるＩｍａｘの係数として算出する。このデューティが目標の電流の大きさに対応する。これにより、光源４に供給される電流は０．０５ＩｍａｘからＩｍａｘまでの範囲内の目標の電流に設定される。この場合についても、光源４に供給する電流を、算出された目標の電流に向けて一定の時間内に一定の増加率で漸増（フェードイン）させる。
【００４７】
その後、調光信号のデューティが３％から５％までの範囲内で増／減する間、マイコン１０は、積分回路１２に対して出力するＰＷＭ信号のデューティを５％に調整する。これにより、光源４に供給される電流は０．０５Ｉｍａｘに調整される。また、調光信号のデューティが９０％から１００％までの範囲内で増／減する間、マイコン１０は、積分回路１２に対して出力するＰＷＭ信号のデューティを１００％に調整する。これにより、光源４に供給される電流はＩｍａｘに調整される。なお、ここでの３％は、０％より大きく５％（第１閾値）より小さいデューティであればよい。
【００４８】
更にその後、調光信号のデューティが３％より小さくなったときに、マイコン１０は、積分回路１２に対して出力するＰＷＭ信号のデューティを５％から０％に向けて漸減させる（図中の矢印付き破線参照）。これにより、光源４が突然消灯することがないように制御される。なお、図３では、便宜上、調光信号のデューティが３％より小さくなるにつれて破線が左下がりに低下するように描いてあるが、実際にはマイコン１０は、積分回路１２に対して出力するＰＷＭ信号のデューティを５％から０％に向けて一定の時間内に一定の減少率で漸減（フェードアウト）させる。
【００４９】
上述の例では、積分回路１２に対して出力するＰＷＭ信号のデューティを、式（１）又は（３）の右辺におけるＩｍａｘの係数として算出したが、調光信号のデューティＤ１に応じて積分回路１２に対して出力するＰＷＭ信号のデューティを予め算出してテーブルに記憶しておいてもよい。以下では、調光信号のデューティの大小に応じて、光源４に供給する電流を小大に調整する場合を例にして説明する。また、積分回路１２に対して出力すべきＰＷＭ信号のデューティを、調整すべきデューティ又は目標のデューティとし、これらのデューティが、調整によって到達すべき電流の大きさ又は目標の電流の大きさと同等であるものとして説明する。
【００５０】
図４は、調光信号のデューティを変換するための調光テーブル１１１の構成例を示す説明図である。調光テーブル１１１には、１％から１００％までの１００通りの調光信号のデューティに対応する１００個のデータが記憶されている。これらのデータは、調光信号のデューティＤ１を式（２）に代入して得たＤ１’を式（１）に代入し、算出された１−Ｄ１’の値を％値で表してＤ１の％値の順に並べたものである。これは即ち、図３の実線上の点について、横軸の値の％値を縦軸の値の％値に変換するものである。但し９７％を超える場合については、フェードアウトを行うのでテーブルには記憶されていない。例えば、検出されたデューティＤ１が０．１６（１６％）である場合、調光テーブル１１１の先頭から１６番目のデータである８８を読み出すことにより、調整によって到達すべき電流の大きさ、又は目標の電流の大きさが８８％と決定される。
【００５１】
次にフェードイン及びフェードアウトについて説明する。図５は、フェードイン中及びフェードアウト中に光源４に供給される電流の時間変化を示すグラフである。図の横軸は時間（ｔ）を表し、縦軸は光源４に供給される電流を表す。実線及び破線はフェードインの場合の電流の変化を示すものであり、一点鎖線はフェードアウトの場合の電流の変化を示すものである。フェードイン及びフェードアウトは、何れも時刻ｔ０に開始されるものとする。
【００５２】
実線で示すように目標の電流Ｉ１にフェードインする場合、光源４に供給される電流は、時刻ｔ０からｔ１までの間に０からＩ１まで直線的に漸増する。また、破線で示すように目標の電流Ｉ２にフェードインする場合、光源４に供給される電流は、やはり時刻ｔ０からｔ１までの間に０からＩ２まで直線的に漸増する。一方、一点鎖線で示すように光源４に電流Ｉ３が供給されている状態からフェードアウトする場合、光源４に供給される電流は、時刻ｔ０からｔ１までの間に、Ｉ３から０まで直線的に漸減する。但し、フェードイン及びフェードアウト夫々の場合における電流の増加及び減少は、直線的なものに限定されない。
【００５３】
実際に目標の電流に向けてフェードインを行う場合、又は電流０に向けてフェードアウトを行う場合、光源４に供給する電流を段階的に複数回に渡って増加又は減少させる。以下、フェードイン及びフェードアウト夫々に要する時間をＦＩ時間及びＦＯ時間という。本実施形態では、ＦＩ時間及びＦＯ時間が、１秒以上の秒単位の時間に予め設定されており、ＦＩ時間又はＦＯ時間を１００等分した時間（以下、１ステップの時間という）毎に、光源４に供給する電流をステップ状に増加又は減少させる。
【００５４】
ＦＩ時間又はＦＯ時間の間に行う電流の増減は最大１００回実行することとなるため、毎回の計算量を低減するために、テーブルを利用することができる。図６は、増減させる電流の割合を記憶したＦＩＦＯテーブル１１２の構成例を示す説明図である。ＦＩＦＯテーブル１１２には、０．０１（１％）から１．００（１００％）までの割合を示す１００個の値が昇順に記憶されている。ＦＩＦＯテーブル１１２から１ステップの時間毎に順次読み出した値と、最終的に増減させる目標の電流の大きさとを乗算することにより、各ステップにおける電流の大きさが算出される。このようなテーブルを用いることにより、光源４に供給する電流を時間に対して下に凸の曲線で描かれるように滑らかに減少させたり、上に凸の曲線で描かれるように滑らかに増加させたりすることも容易に行える。
【００５５】
例えばフェードインを行う場合、目標の電流の大きさと、ＦＩＦＯテーブル１１２のｊ番目（ｊは１００以下の自然数）の記憶内容とを乗算することにより、ｊステップ目の電流の大きさが算出される。また、フェードアウトを行う場合、フェードアウトを行う直前の電流の大きさと、ＦＩＦＯテーブル１１２の（１００−ｊ）番目の記憶内容とを乗算することにより、ｊステップ目の電流の大きさが算出される。
【００５６】
ところで、フェードインを行っている間に調光信号のデューティが一定の値以上変化した場合、及びフェードアウトを行っている間に調光信号のデューティが９０％以下となった場合、フェードイン及びフェードアウトを中断して、新たな調光信号のデューティに応じた調光を行うことが好ましい。図７は、フェードインを中断した場合に光源４に供給される電流の時間変化を示すグラフである。図の横軸は時間（ｔ）を表し、縦軸は光源４に供給される電流を表す。
【００５７】
実線及び該実線を延伸した破線で示される直線は、フェードインが目標の電流Ｉ１に向けて時刻ｔ０に開始され、時刻ｔ１に終了する場合の電流の変化を示すものである。時刻ｔ３で電流がＩ４の時にフェードインが中断された場合、光源４に供給される電流は、実線及び一点鎖線夫々で示されるように、時刻ｔ３からｔ５及びｔ６までの間に、新たな目標の電流Ｉ５及びＩ６に向けて、電流の時間変化率の絶対値が漸次減少するように漸近する。この場合、電流Ｉ４及びＩ６の差分よりも、電流Ｉ４及びＩ５の差分の方が大きいため、時刻ｔ５は時刻ｔ６よりも後になる。
【００５８】
フェードアウトを中断し、光源４に供給する電流を新たな目標の電流に向けて漸近させる場合についても同様であるため、ここでの図示を省略する。フェードイン及びフェードアウトが中断された後の電流変化については、例えば冪関数ｆ（ｔ）＝ａｔb （ａ及びｃは実数）に基づいて表される曲線に沿って変化するものであってもよい。
【００５９】
図８は、フェードイン／フェードアウト中断後に光源４に供給される電流の変化曲線の一例を示すグラフである。図の横軸は時間（ｔ）を表し、単位はｍｓである。また、縦軸は電流の大きさを表し、単位は（％）である。図中の実線は、特定の手順に従って電流の大きさを決定した場合の変化特性を示すものである。また、破線は、以下の冪関数を用いた式（５）で表される電流の大きさの変化特性を示すものである。何れも電流の大きさが１０％の時にフェードインが中断され、電流の大きさが目標の大きさ１００％に向けて漸近する場合の変化特性を示している。
【００６０】
ｇ（ｔ）＝−０．３７｛（９０−ｔ）／１０｝2.5 ＋１００・・・・・・・・・・（５）
【００６１】
上記特定の手順とは、現在の電流の大きさと目標の電流の大きさとの差分に応じて、現在の電流の大きさに加算すべき電流の大きさ（％）を決定するものである。ここでは、差分が３５以上のときは２０を加算し、１５以上３５未満のときは１０を加算し、６以上１５未満のときは５を加算し、３以上６未満のときは３を加算し、３未満のときは１を加算する。目標の電流の大きさが、フェードイン／フェードアウト中断時の電流の大きさよりも小さい場合は、上記の手順で加算を減算に置き換えればよい。このようにして決定した電流の大きさと、上記式（５）によって算出した電流の大きさとは精度よく一致する。
【００６２】
図８に示すグラフの下方には、実線及び破線夫々で示される場合について、各時間の経過後における電流の大きさを対比して示してある。フェードインの中断後の経過時間が０、１０、２０、３０、４０、５０、６０、７０、８０、及び９０（ｍｓ）である時の実線で示される電流の大きさが１０、３０、５０、７０、８０、９０、９５、９８、９９、１００（％）であるのに対し、破線で示される電流の大きさは１０．１、３３．０、５２．０、６７．４、７９．３、８８．２、９４．２、９７．９、９９．６、及び１００（％）である。
【００６３】
実際にフェードイン及びフェードアウトの中断後の電流の大きさを決定又は算出するには、上記の手順に従って決定してもよいし、式（５）を適当に変形して算出してもよい。また、図８に示されるような代表的な変化特性を予めテーブルに記憶しておき、上記差分に応じてテーブルの適当な部分を参照することにより、代表的な変化特性の一部が再現されるように算出してもよい。例えば、現在の電流の大きさと目標の電流の大きさとの差分が３０％である場合、図８の縦軸上の１００％から３０％を減算した７０％に対応する横軸上の３０ｍｓの点を起点にして、それより右側の変化特性に対応するテーブルの部分を参照すればよい。
【００６４】
以下では、上述したマイコン１０の動作を、それを示すフローチャートを用いて説明する。図９は、ＣＰＵ１００による初期化処理の手順を示すフローチャートである。図１０は、フェードイン、調光、及びフェードアウトを実行するＣＰＵ１００の処理手順を示すフローチャートである。図１１は、フェードイン及びフェードアウト中のＣＰＵ１００による定周期処理の手順を示すフローチャートである。図１２は、フェードイン及びフェードアウトの中断後のＣＰＵ１００の処理手順を示すフローチャートである。
【００６５】
図９に示す処理は、電源投入等によるリセット時に起動される。図１０に示す処理は、最初に図９に示す初期化処理の終了後に起動され、２回目以降はステップＳ２７から始まる処理として適時に起動される。図１１に示す処理は、フェードイン及びフェードアウト中にタイマ１４０で計時される１０ｍｓ毎に起動される。但し起動周期は１０ｍｓに限定されない。図１２に示す処理は、図１１に示す処理の途中で起動される。図中の「ＦＩＦＯ時間」は、予めＲＡＭ１２０又はＲＯＭ１１０に設定されている。「ｉ」、「ｊ」、「ＦＩＦＯフラグ」、「現在の電流の大きさ」、「増減させる電流の大きさ」及び「現在の電流の大きさ」はＲＡＭ１２０に記憶される。特に「調光デューティ」は記憶部１２１に記憶される。
【００６６】
図９の処理が起動された場合、ＣＰＵ１００は、ＲＡＭ１２０又はＲＯＭ１１０からＦＩＦＯ時間を読み出し（Ｓ１１）、ＦＩＦＯ時間を１００で除算することにより、フェードイン及びフェードアウト（ＦＩＦＯ）の１ステップの時間を算出する（Ｓ１２）。ここでの除数は１００に限定されない。次いで、ＣＰＵ１００は、ＦＩＦＯの１ステップの時間を１０ｍｓで除算することにより、１ステップ当たりの処理回数Ｎを算出する（Ｓ１３）。例えばＦＩ時間及びＦＯ時間が３秒の場合、Ｎは３となる。その後、ＣＰＵ１００は、ｉをＮに初期化し（Ｓ１４）、ｊを１に初期化して（Ｓ１５）図９の処理を終了する。
【００６７】
続いて図１０の処理が起動された場合、ＣＰＵ１００は、調光器３から調光信号を取り込んで調光信号のデューティ、即ち調光デューティを検出し（Ｓ２１）、検出した調光デューティが９０％以下であるか否かを判定する（Ｓ２２）。９０％以下ではない場合（Ｓ２２：ＮＯ）、９０％以下になるまで待機する。調光デューティが９０％以下である場合（Ｓ２２：ＹＥＳ）、ＣＰＵ１００は、検出した調光デューティを記憶部１２１に記憶する（Ｓ２３）。
【００６８】
その後、ＣＰＵ１００は、検出して記憶した調光デューティに基づいて調光テーブル１１１を参照し、目標の電流の大きさを読み出すことによって、増減させる電流の大きさを決定する（Ｓ２４）。次いで、ＣＰＵ１００は、ＦＩＦＯフラグを１に設定して（Ｓ２５）フェードイン中であることを記憶しておく。この場合、図１１に示す処理の周期起動を開始する。その後、ＣＰＵ１００は、ＦＩＦＯフラグが０であるか否かを判定する（Ｓ２６）。これにより、図１１又は図１２に示す処理にてフェードイン及びフェードインの中断処理が終了してＦＩＦＯフラグが０にクリアされたか否かが判定される。ＦＩＦＯフラグが０ではない場合（Ｓ２６：ＮＯ）、ＣＰＵ１００は、ＦＩＦＯフラグが０になるまで待機する。
【００６９】
ＦＩＦＯフラグが０である場合（Ｓ２６：ＹＥＳ）、即ちフェードイン及びフェードインの中断処理が終了した場合、ＣＰＵ１００は、調光器３から調光信号を取り込んでデューティを検出し（Ｓ２７）、検出した調光デューティについて、記憶部１２１に記憶した調光デューティに対する変更が有るか否かを判定し（Ｓ２８）、変更が無い場合（Ｓ２８：ＮＯ）、ステップＳ２７に処理を移す。
【００７０】
ステップＳ２８における変更の有無の判定では、例えばデューティの差分が１％以上であるか否かを判定して、一定の範囲内の差分を変更と扱わないようにすることが好ましい。また、記憶部１２１に記憶したデューティが９７％以上である間は、検出した調光デューティが９７％未満になるまで変更無しと判定することが好ましい。これにより、フェードアウト終了後に図１０のＳ２７から始まる処理が起動されたときに、再びフェードアウトが始まることが防止される。
【００７１】
調光デューティに変更が有る場合（Ｓ２８：ＹＥＳ）、ＣＰＵ１００は、検出した調光デューティを記憶部１２１に記憶し（Ｓ２９）、当該調光デューティが９７％以上であるか否かを判定する（Ｓ３０）。９７％以上ではない場合（Ｓ３０：ＮＯ）、ＣＰＵ１００は、検出した調光デューティに基づいて調光テーブル１１１を参照することにより、調整すべき電流の大きさを決定する（Ｓ３１）。次いで、ＣＰＵ１００は、決定した電流の大きさを現在の電流の大きさとして記憶し（Ｓ３２）、当該電流の大きさに応じて、積分回路１２に対するデューティを設定して（Ｓ３３：調光部に相当）、ステップＳ２７に処理を移す。
【００７２】
ステップＳ３０で調光デューティが９７％以上である場合（Ｓ３０：ＹＥＳ）、即ちフェードアウトすべき状態になった場合、ＣＰＵ１００は、先に記憶した現在の電流の大きさを、増減させる電流の大きさとして記憶する（Ｓ３４）。次いで、ＣＰＵ１００は、ＦＩＦＯフラグを２に設定して（Ｓ３５）フェードアウト中であることを記憶しておく。この場合、図１１に示す処理の周期起動を開始する。その後、ＣＰＵ１００は、ＦＩＦＯフラグが０であるか否かを判定する（Ｓ３６）。これにより、図１１又は図１２に示す処理にてフェードアウト及びフェードアウトの中断処理が終了してＦＩＦＯフラグが０にクリアされたか否かが判定される。
【００７３】
ＦＩＦＯフラグが０ではない場合（Ｓ３６：ＮＯ）、ＣＰＵ１００は、ＦＩＦＯフラグが０になるまで待機する。ＦＩＦＯフラグが０である場合（Ｓ３６：ＹＥＳ）、即ちフェードアウト及びフェードアウトの中断処理が終了した場合、ＣＰＵ１００は、図１０の処理を終了する。この後、上述したように、ステップＳ２７から始まる処理が起動された場合、ＣＰＵ１００は、調光器３からの調光信号のデューティを検出して光源４を調光する処理を再開する。
【００７４】
１０ｍｓ毎に起動される図１１の処理では、ＣＰＵ１００は、ＦＩＦＯフラグが０でないか否かを判定し（Ｓ４１）、０である場合（Ｓ４１：ＮＯ）特段の処理を実行せずに図１１の処理を終了する。即ち、ＦＩＦＯフラグが０の場合は、フェードイン及びフェードアウトの動作が禁止される。ＦＩＦＯフラグが０でない場合（Ｓ４１：ＹＥＳ）、即ちフェードイン又はフェードアウト中である場合、ＣＰＵ１００は、ｉを１だけデクリメントする（Ｓ４２）。次いで、ＣＰＵ１００は、ｉが０であるか否かを判定し（Ｓ４３）、０ではない場合（Ｓ４３：ＮＯ）、それ以上の処理を行わずに図１１の処理を終了する。
【００７５】
ｉが０である場合（Ｓ４３：ＹＥＳ）、即ちＮ回目の処理である場合、ＣＰＵ１００は、ｉをＮに初期化した（Ｓ４４）後、ＦＩＦＯフラグが１であるか否かを判定する（Ｓ４５）。ＦＩＦＯフラグが１である場合（Ｓ４５：ＹＥＳ）、即ちフェードイン中である場合、ＣＰＵ１００は、ＦＩＦＯテーブル１１２内のｊ番目の記憶内容である割合を読み出す（Ｓ４６）。一方、ＦＩＦＯフラグが１ではない場合（Ｓ４５：ＮＯ）、即ちフェードアウト中である場合、ＣＰＵ１００は、ＦＩＦＯテーブル１１２内の（１００−ｊ）番目の記憶内容である割合を読み出す（Ｓ４７）。
【００７６】
ステップＳ４６又はＳ４７の処理を終えた場合、ＣＰＵ１００は、ＲＡＭ１２０に記憶してある増減させる電流の大きさと、読み出した割合とを乗算し、乗算結果をｊステップ目の電流の大きさとする（Ｓ４８）。次いで、ＣＰＵ１００は、算出したｊステップ目の電流の大きさを現在の電流の大きさとして記憶し（Ｓ４９）、当該電流の大きさに応じて、積分回路１２に対するデューティを設定する（Ｓ５０：漸増部及び漸減部に相当）。なお、算出した電流の大きさと、更新前の現在の電流の大きさとが１％単位で同じ場合は、ステップＳ５０の処理をスキップしてもよい。
【００７７】
その後、ＣＰＵ１００は、調光器３から調光信号を取り込んでデューティを検出し（Ｓ５１）、ＦＩＦＯフラグが１であるか否かを判定して（Ｓ５２）場合分けする。ＦＩＦＯフラグが１であるフェードイン中の場合（Ｓ５２：ＹＥＳ）、ＣＰＵ１００は、検出した調光デューティから、記憶部１２１に記憶したデューティを減算した値の絶対値を、調光デューティの変化分として算出する（Ｓ５３）。次いで、ＣＰＵ１００は、算出した変化分が、例えば１％（所定の値に相当）以上であるか否かを判定し（Ｓ５４）、１％以上である場合（Ｓ５４：ＹＥＳ）、フェードインを中断するために、後述するステップＳ６１に処理を移す。なお、ステップＳ５４で変化分の判定に用いるパーセンテージは１％に限定されない。
【００７８】
算出した変化分が１％以上ではない場合（Ｓ５４：ＮＯ）、ＣＰＵ１００は、ｊを１だけインクリメントし（Ｓ５６）、ｊが１０１であるか否かを判定する（Ｓ５６）。ｊが１０１ではない場合（Ｓ５６：ＮＯ）、ＣＰＵ１００は、図１１の処理を一旦終了する。ｊが１０１である場合（Ｓ５６：ＹＥＳ）、即ちフェードイン又はフェードアウトを終了すべき場合、ＣＰＵ１００は、ＦＩＦＯフラグを０にクリアする（Ｓ５７：禁止部及び第２の禁止部に相当）。この場合、図１１に示す処理の周期起動を停止してもよい。その後、ＣＰＵ１００は、ｊをＮに初期化し（Ｓ５８）、ｊを１に初期化して（Ｓ５９）図１１の処理を終了する。
【００７９】
一方、ステップＳ５２で、ＦＩＦＯフラグが１ではないフェードアウト中の場合（Ｓ５２：ＮＯ）、ＣＰＵ１００は、検出した調光デューティが９０％以下であるか否かを判定する（Ｓ６０）。調光デューティが９０％以下ではない場合（Ｓ６０：ＮＯ）、フェードアウトを継続してフェードインと共通の処理を実行するためにステップＳ５５に処理を移す。これに対し、調光デューティが９０％以下である場合（Ｓ６０：ＮＯ）、ＣＰＵ１００は、検出した調光デューティを記憶部１２１に記憶し（Ｓ６１）、フェードアウトを中断するために図１２に示すＦＩＦＯ中断処理を起動して（Ｓ６２）、ステップＳ５７に処理を移す。
【００８０】
なお、上述した図１１の処理では、Ｎ×１０ｍｓ毎に調光信号のデューティを検出したが、１０ｍｓ毎に調光信号のデューティを検出するようにしてもよい。
【００８１】
ステップＳ６２で図１２に示す処理が起動された場合、ＣＰＵ１００は、記憶部１２１に記憶した調光デューティに基づき、調光テーブル１１１を参照して新たな目標の電流の大きさを決定する（Ｓ７１）。次いで、ＣＰＵ１００は、決定した新たな目標の電流の大きさから、ＲＡＭ１２０に記憶した現在の電流の大きさを減算して電流の大きさの差分を符号付きで算出し（Ｓ７２）、算出した差分が０であるか否かを判定する（Ｓ７３）。差分が０である場合（Ｓ７３：ＹＥＳ）、ＣＰＵ１００は、図１２の処理を終了する。
【００８２】
ステップＳ７３で差分が０ではない場合（Ｄ７３：ＮＯ）、ＣＰＵ１００は、差分の大きさに応じて加算／減算する電流の大きさを決定し（Ｓ７４）、決定した電流の大きさを、ＲＡＭ１２０に記憶した現在の電流の大きさに加算／減算することによって、現在の電流の大きさを更新すべく記憶する（Ｓ７５）。この場合、差分がプラスのときは、決定した電流の大きさを加算し、差分がマイナスのときは、決定した電流の大きさを減算する。ここでの加算／減算は、図８を用いて説明した方法による。次いで、ＣＰＵ１００は、更新した電流の大きさに応じて、積分回路１２に対するデューティを設定し（Ｓ７６：漸近部に相当）、１０ｍｓ（所定時間に相当）だけ待機した（Ｓ７７）後に、ステップＳ７２に処理を移す。なお、ステップＳ７７で待機する時間は１０ｍｓに限定されない。
【００８３】
上述の各フローチャートは、調光信号のデューティの大小に応じて、光源４に供給する電流を小大に調整する場合について記載したものであるが、調光信号のデューティの大小に応じて、光源４に供給する電流を大小に調整する場合は、一部の処理を書き換えればよい。具体的に、図１０ステップＳ２２では調光デューティが５％以上であるか否かを判定し、ステップＳ３０では調光デューティが３％以下であるか否かを判定する。また図１１のステップＳ６０では調光デューティが５％以上であるか否かを判定すればよい。
【００８４】
上述の各フローチャートにおけるステップＳ２２、Ｓ３０、Ｓ５４、Ｓ６０等の判断分岐では、等号付き不等号である「≧」（大なりイコール）及び「≦」（小なりイコール）を用いたが、単なる不等号である「＞」（大なり）及び「＜」（小なり）を用いてもよい。
【００８５】
以上のように本実施形態によれば、ＰＷＭ信号である調光信号を調光器３から取得し、取得した調光信号に基づく電流を光源４に供給して点灯させる。調光器３からの調光信号のデューティが５％から９０％までの範囲内にある場合、調光信号のデューティの大小の変化（即ち増加及び減少）に応じて、光源４に供給する電流を小大に調整する（即ち減少及び増加させる）第１構成、又は光源４に供給する電流を大小に調整する（即ち増加及び減少させる）第２構成を採用する。第１構成では調光を開始する前に取得した調光信号のデューティが９０％より小さいか否かを判定し、第２構成では調光を開始する前に取得した調光信号のデューティが５％より大きいか否かを判定する。判定が成立した場合、判定した調光デューティを記憶部１２１に記憶しておき、当該調光デューティに応じた目標の電流に向けて光源４に供給する電流を漸増させる。電流を漸増させている間に新たに取得した調光信号のデューティが、記憶部１２１に記憶されたデューティと１％以上異なる場合、光源４に供給する電流の漸増を中止し、新たに取得した調光信号のデューティに応じた新たな目標の電流に向けて、光源４に供給する電流を漸近させる。従って、フェードイン中であっても調光器３による軽快な調光操作を行うことが可能となる。
【００８６】
また、本実施形態によれば、調光器３から取得した調光信号のデューティに応じて光源４に供給する電流を調整する都度、第１構成では取得した調光信号のデューティが９０％より大きい９７％以上であるか否かを判定し、第２構成では取得した調光信号のデューティが５％より小さい３％以下であるか否かを判定する。判定が成立した場合、判定したデューティに応じた目標の電流に向けて光源４に供給する電流を漸減させる。電流を漸減させている間に更に新たに取得した調光信号のデューティが、第１構成における９０％より小さい場合、又は第２構成における５％より大きい場合、光源４に供給する電流の漸減を中止し、電流を漸減させている間に新たに取得した調光信号のデューティに応じた新たな目標の電流に向けて、光源４に供給する電流を漸近させる。従って、フェードアウト中であっても調光器３による軽快な調光操作を行うことが可能となる。
【００８７】
更に、本実施形態によれば、新たな目標の電流に向けて漸近するように光源４に供給する電流について、単位時間当たりの変化量の絶対値、即ち電流変化の傾きの絶対値が漸次小さくなるようにする。これにより、光源４に供給する電流を直線的に変化させる場合よりも速やかに、且つ滑らかに目標の電流に近づけることが可能となる。
【００８８】
更に、本実施形態によれば、光源４に供給する電流を１０ｍｓ毎に変化させて新たな目標の漸近させる際に、新たな目標の電流と光源４に供給している電流との差分が、大きさにして３％未満、３％以上、６％以上、１５％以上、及び３５％以上と大きいほど、１０ｍｓ毎の電流の変化量を１％、３％、５％、１０％、及び２０％と大きくする。これにより、光源４に供給する電流を新たな目標の電流に漸近させる際の演算を簡略化することが可能となる。
【００８９】
更に、本実施形態によれば、調光信号のデューティに対応付けて、光源４に供給する電流の大きさを調光テーブル１１１に記憶してあり、新たに取得した調光信号のデューティに基づいて調光テーブル１１１を参照することにより、新たな目標の電流を決定する。これにより、光源４に供給する電流について、通常の調光の場合に調整すべき電流と、フェードインを行う場合の目標の電流と、フェードイン及びフェードアウトを中断した場合の新たな目標の電流とを容易に算出することが可能となる。
【符号の説明】
【００９０】
１  点灯装置
１０  マイコン
１００  ＣＰＵ
１１０  ＲＯＭ
１１１  調光テーブル
１１２  ＦＩＦＯテーブル
１２０  ＲＡＭ
１２１  記憶部
１３０  Ｉ／Ｏ
１４０  タイマ
１１、１４  フォトカプラ
１２  積分回路
１３  オペアンプ
１５  制御ＩＣ
１６  ＤＣ／ＤＣコンバータ
１７  抵抗器
２０  ＰＦＣ回路
３  調光器
４  光源
５  交流電源
【図１】
2018206701.tif 000003
【図２】
2018206701.tif 000004
【図３】
2018206701.tif 000005
【図４】
2018206701.tif 000006
【図５】
2018206701.tif 000007
【図６】
2018206701.tif 000008
【図７】
2018206701.tif 000009
【図８】
2018206701.tif 000010
【図９】
2018206701.tif 000011
【図１０】
2018206701.tif 000012
【図１１】
2018206701.tif 000013
【図１２】
2018206701.tif 000014